(57)【要約】  前壁、後壁およびそれらの間を延びる側壁を含み、少なくとも１つの側壁が少なくとも３つの層を含むパックを開示する。
2016513052.tif 000002
【特許請求の範囲】
【請求項１】
前壁、後壁およびそれらの間を延びる側壁を含み、少なくとも１つの側壁が少なくとも３つの層を含むパック。
【請求項２】
側壁の層は一枚のシート材から形成されることを特徴とする請求項１に記載のパック。
【請求項３】
シート材は折り曲げ線を含み、折り曲げ線でシートが折り畳まれることで層を形成することを特徴とする請求項２に記載のパック。
【請求項４】
パックは本体側部パネルを含む本体を含み、本体側部パネルは本体副側部パネルと重なり、パックはさらに本体補強パネルを含み、この補強パネルはこれに対応する本体側部パネルと本体副側部パネルと重なって多層の側壁を形成するよう配置することができるようになっていることを特徴とする請求項１乃至３のいずれか１項に記載のパック。
【請求項５】
本体側部パネルが前壁から延び、本体副側部パネルが後壁から延び、本体補強パネルが本体側部パネルおよび／または本体副側部パネルから延びていることを特徴とする請求項４に記載のパック。
【請求項６】
パックは蓋側部パネルを含む蓋を含み、蓋側部パネルは蓋副側部パネルと重なり、パックはさらに蓋補強パネルを含み、この補強パネルはこれに対応する蓋側部パネルと蓋副側部パネルと重なって、多層の側壁を形成するよう配置することができるようになっていることを特徴とする請求項１乃至５のいずれか１項に記載のパック。
【請求項７】
蓋側部パネルが前壁から延び、蓋副側部パネルが後壁から延び、蓋補強パネルが蓋側部パネルおよび／または蓋副側部パネルから延びていることを特徴とする請求項６に記載のパック。
【請求項８】
本体補強パネルは本体側部パネルと本体副側部パネルとの間に位置するように折り曲げられることを特徴とする請求項４乃至７のいずれか１項に記載のパック。
【請求項９】
蓋補強パネルは蓋側部パネルと蓋副側部パネルとの間に位置するように折り曲げられることを特徴とする請求項８に記載のパック。
【請求項１０】
層は接着剤によって貼り付けられていることを特徴とする請求項１乃至９のいずれか１項に記載のパック。
【請求項１１】
請求項１乃至１０のいずれか１項に記載のパックを形成するためのブランク。
【請求項１２】
ブランクを提供する工程と、ブランクを折り曲げて前パネル、側部パネル、副側部パネルおよび側部補強パネルを含むパックを形成する工程と、側部パネル、副側部パネルおよび側部補強パネルを重なるように配置する工程とを含むパックを形成する方法。
【請求項１３】
側部補強パネルは、側部パネルと副側部パネルとの間にあることを特徴とする請求項１２に記載の方法。
【請求項１４】
前壁および側壁並びにそれらの間を延びる側壁を含み、少なくとも１つの側壁が少なくとも３つの層を含むタバコ産業パック。
【請求項１５】
請求項２乃至１０のいずれか１項に係る特徴のいずれかを含むことを特徴とする請求項１４に記載のタバコ産業パック。
【発明の詳細な説明】
【技術分野】
【０００１】
本発明は、パックおよびタバコ産業パックに関する。また本発明は、これらパック用のブランクに関する。
【背景技術】
【０００２】
一般的に従来のタバコ産業パックは、取り出し開口部のある本体部分を有する平面六面体の形状のパックである。概してパックは取り出し開口部を開閉するための蓋をさらに含む。
【発明の概要】
【課題を解決するための手段】
【０００３】
本発明の一態様によれば、前壁、後壁およびそれらの間を延びる側壁を含み、少なくとも１つの側壁が少なくとも３つの層を含むパックが提供される。
【０００４】
側壁の層は一枚のシート材から形成されてもよい。またシート材は折り曲げ線を含んでもよく、折り曲げ線でシートが折り畳まれることで層を形成できる。層は接着剤によって貼り付けてもよい。
【０００５】
パックは、本体側部パネルを含む本体を含み、本体側部パネルは本体副側部パネルと重なり、パックはさらに本体補強パネルを含み、この補強パネルはこれに対応する本体側部パネルと本体副側部パネルと重なって多層の側壁を形成するよう配置することができるようになっている。
【０００６】
ある実施態様では本体側部パネルが前壁から延び、本体副側部パネルが後壁から延び、本体補強パネルが本体側部パネルおよび／または本体副側部パネルから延びている。
【０００７】
パックは、蓋側部パネルを含む蓋を含み、蓋側部パネルは蓋副側部パネルと重なり、パックはさらに蓋補強パネルを含み、この補強パネルはこれに対応する蓋側部パネルと蓋副側部パネルと重なって、多層の側壁を形成するよう配置することができるようになっている。
【０００８】
ある実施態様では蓋側部パネルが前壁から延び、蓋副側部パネルが後壁から延び、蓋補強パネルが蓋側部パネルおよび／または蓋副側部パネルから延びている。
【０００９】
本体補強パネルは本体側部パネルと本体副側部パネルとの間に位置するように折り曲げられてもよく、蓋補強パネルは蓋側部パネルと蓋副側部パネルとの間に位置するように折り曲げられてもよい。
【００１０】
本発明の別の一態様によれば、これらパックを形成するためのブランクが提供される。
【００１１】
また本発明は、ブランクを提供する工程と、ブランクを折り曲げて前パネル、側部パネル、副側部パネルおよび側部補強パネルを含むパックを形成する工程と、側部パネル、副側部パネルおよび側部補強パネルを重なるように配置する工程とを含むパックを形成する方法を提供する。
【００１２】
側部補強パネルは、側部パネルと副側部パネルとの間にあってもよい。
【００１３】
本発明の別の一態様によれば、前壁および側壁並びにそれらの間を延びる側壁を含み、少なくとも１つの側壁が少なくとも３つの層を含むタバコ産業パックが提供される。このパックは上述の特徴のいずれも含んでいてもよい。
【００１４】
本発明の実施態様を添付図面を参照し、あくまで例示を目的として説明する。
【図面の簡単な説明】
【００１５】
【図１】閉じた位置にある本発明の第１の実施態様のパックの斜視図である。
【図２】開いた位置にある図１で示したパックの斜視図である。
【図３】図１で示したパックのブランクを示す。
【図４】本発明の第２の実施態様のパックのブランクを示す。
【図５】本発明の第３の実施態様のパックのブランクを示す。
【発明を実施するための形態】
【００１６】
図１および２はパック１を示している。パック１は本体２およびヒンジ式の蓋３を備える一般的な平行六面体の容器を含む。パック１は大きな前壁４および後壁５並びにこれらより小さな側壁６、７、底壁８および上壁９を備える。パックの前壁４および後壁５は本体前パネル４ａおよび本体後パネル５ａ並びに蓋前パネル４ｃおよび蓋後パネル５ｂを含む。パックの側壁６、７は、本体側部パネル６ａ、７ａと蓋側部パネル６ｃ、７ｃとを含み、これらはそれぞれ本体副側部パネル６ｂ、７ｂおよび副蓋パネル６ｄ、７ｄに重なる。
【００１７】
ヒンジ式の蓋３は、本体後パネル５ａおよび蓋後パネル５ｂの間にあるヒンジ折り曲げ線１０において本体２と一体に接続されている。またヒンジ式の蓋３は、本体２の上部にある取り出し開口部１１が露出して内部に収納されたタバコ産業製品（例えば、紙巻きタバコなどの喫煙品）に触れることができる開いた位置と閉じた位置との間を旋回可能である。
【００１８】
前壁１３および側壁１４、１５を備えるインナーフレーム１２は、開口部１１から突出するようにパック１の本体２内部に配置される。インナーフレーム１２は、パック１の内容物に触れやすくするように前パネルに切り欠き２２を含んでもよい。
【００１９】
図３は図１および２のパック１を形成するために使用されるブランク２０を示している。ブランク２０は、上述したパック１の種々のパネルを含む厚紙のような一枚のシート材を含む。底壁８と本体後パネル５ａが接する第２の本体折り曲げ線１８ｂとは離れた第１の本体折り曲げ線１８ａで、本体前パネル４ａはパックの底壁８と接している。第３の本体折り曲げ線１８ｃ、１８ｄそれぞれにおいて本体側部パネル６ａ、７ａは本体前パネル４ａと接し、第４の本体折り曲げ線１８ｅ、１８ｆそれぞれにおいて本体副パネル６ｂ、７ｂは本体後パネル５ａと接している。本体前パネル４ａと本体後パネル５ａとが向かい合い、本体側部パネル６ａ、７ａが互いに向かい合い、また本体側部パネル６ａ、７ａがそれぞれ対応する本体副パネル６ｂ、７ｂと重なって二重層を形成するように、第１、第２、第３、第４の本体折り曲げ線１８ａ、１８ｂ、１８ｃ、１８ｄ、１８ｅ、１８ｆに沿ってブランク２０は折り畳まれ本体２を形成する。
【００２０】
パック上壁９と蓋前パネル４ｃが面する第２の蓋折り曲げ線１９ｂとは離れた第１の蓋折り曲げ線１９ａにおいて、蓋後パネル５ｂはパック上壁９と接している。第３の蓋折り曲げ線１９ｃ、１９ｄそれぞれにおいて蓋側部パネル６ｃ、７ｃは蓋前パネル４ｃと接し、第４の蓋折り曲げ線１９ｅ、１９ｆそれぞれにおいて蓋副側部パネル６ｄ、７ｄは蓋後パネル５ｂと接している。蓋前パネル４ｃと蓋後パネル５ｂとが向かい合い、蓋側部パネル６ｃ、７ｃが互いに向かい合い、また蓋側部パネル６ｃ、７ｃがそれぞれ対応する蓋副側部パネル６ｄ、７ｄと重なって二重層を形成するように、第１、第２、第３の蓋折り曲げ線１９ａ、１９ｂ、１９ｃ、１９ｄに沿ってブランク２０は折り畳まれ蓋３を形成する。本体２に対して旋回し得るように、ヒンジ折り曲げ線１０において本体後パネル５ａは蓋後パネル５ｂに接している。
【００２１】
ブランク２０は第１の補強パネル１６ａ、１７ａをさらに含み、これら補強パネルは第１の補強折り曲げ線２１ａ、２１ｂにおいて本体側部パネル６ａ、７ａそれぞれと接している。第１の本体補強パネル１６ａ、１７ａの各々は第１の補強折り曲げ線２１ａ、２１ｂで折り畳まれる。第１の本体補強パネル１６ａ、１７ａは、図３において見える本体側部パネル６ａ、７ａの内面に接して位置するよう図３のブランクを見た状態でページの表側方向に第１の補強折り曲げ線２１ａ、２１ｂのそれぞれにおいて折り畳むことが好ましい。従ってこの実施態様では、第１の本体補強パネル１６ａ、１７ａそれぞれの主要面が本体側部パネル６ａ、７ａの主要面と当接し、第１の本体補強パネル１６ａ、１７ａそれぞれの反対側の主要面が本体副側部パネル６ｂ、７ｂの主要面と当接して三重層を形成する。さらにこの実施態様では、三重層を形成するために、第１の本体補強パネル１６ａ、１７ａが本体副側部パネル６ｂ、７ｂと本体側部パネル６ａ、７ａとの間に位置するように第１の本体補強パネル１６ａ、１７ａは折り畳まれる。
【００２２】
別の実施態様では、第１の補強折り曲げ線２１ａ、２１ｂにおいて第１の本体補強パネル１６ａ、１７ａは、反対の方向、図３のページの裏側方向に折り畳んでもよい。従ってこの実施態様では、第１の本体補強パネル１６ａ、１７ａそれぞれの主要面が本体側部パネル６ａ、７ａの主要面と当接し、本体側部パネル６ａ、７ａそれぞれの反対側の主要面が対応する本体副側部パネル６ｂ、７ｂの主要面と当接して三重層を形成する。この実施態様では、本体側部パネル６ａ、７ａが第１の本体補強パネル１６ａ、１７ａと本体副側部パネル６ｂ、７ｂとの間に位置するように、第１の本体補強パネル１６ａ、１７ａは折り畳まれる。
【００２３】
上述した実施態様のいずれにおいても、第１の本体補強パネル１６ａ、１７ａ、本体側部パネル６ａ、７ａおよび本体副側部パネル６ｂ、７ｂから形成される三重層は接着剤によって貼り付ける。
【００２４】
第１の本体補強パネル１６ａ、１７ａが本体側部パネル６ａ、７ａおよび／または本体副側部パネル６ｂ、７ｂに接して追加的な層ができることでパック１の剛性および耐久性が向上する。従って、パック１の内容物は、パック１に加わる外的な力からより良好に保護される。ある実施態様では、第１の本体補強パネル１６ａ、１７ａそれぞれは対応する本体側部パネル６ａ、７ａおよび／または本体副側部パネル６ｂ、７ｂの表面全体に重なってもよい。しかし、別の実施態様では、第１の本体補強パネル１６ａ、１７ａそれぞれは対応する本体側部パネル６ａ、７ａおよび／または本体副側部パネル６ｂ、７ｂの主要面の一部に重なっているだけでもよい。
【００２５】
当然のことながら、別の実施態様では、１または２以上のさらなる本体補強パネルが第１の本体補強パネル１６ａ、１７ａから延び、折り曲げ線によって第１の本体補強パネル１６ａ、１７ａと隔てられてもよい。本体側部パネル６ａ、７ａ、本体副側部パネル６ｂ、７ｂ、第１の本体補強パネル１６ａ、１７ａ、およびあらゆる追加的本体補強パネルによってパック１に多層構造ができる。
【００２６】
図４は本発明の第２の実施態様のパック用のブランク３０を示している。これは第１の実施態様と同じであり、よって同様の特徴には同じ符号を付してある。しかしながら、第１の実施態様の第１の本体補強パネル１６ａ、１７ａがなく、代わりに第２の実施態様は第２の本体補強パネル１６ｂ、１７ｂを含み、第２の本体補強パネル１６ｂ、１７ｂ各々が対応する本体副側部パネル６ｂ、７ｂおよび本体側部パネル６ａ、７ａと共に三重層を形成するように、これら補強パネルは第２の本体補強パネル１６ｂ、１７ｂは第２の補強折り曲げ線２１ｃ、２１ｄにおいて本体副側部パネル６ｂ、７ｂそれぞれと接している。図３を参照して説明した実施態様と同様に、第２の本体補強パネル１６ｂ、１７ｂは第２の補強折り曲げ線２１ｃ、２１ｄで図４のブランクを見た状態でそのページの表側、裏側のいずれの方向にも折ることができる。従ってある実施態様では、第２の本体補強パネル１６ｂ、１７ｂのそれぞれの主要面が本体側部パネル６ａ、７ａの主要面と当接し、第２の本体補強パネル１６ｂ、１７ｂそれぞれの反対側の主要面が本体副側部パネル６ｂ、７ｂの主要面と当接する。別の実施態様では、第２の本体補強パネル１６ｂ、１７ｂのそれぞれの主要面が本体側部パネル６ａ、７ａの主要面と当接し、本体側部パネル６ａ、７ａそれぞれの反対側の主要面が対応する本体副側部パネル６ｂ、７ｂの主要面と当接する。
【００２７】
第２の本体補強パネル１６ｂ、１７ｂが本体側部パネル６ａ、７ａおよび／または本体副側部パネル６ｂ、７ｂに接して追加的な層ができることでパック１の剛性および耐久性が向上する。
【００２８】
図３を参照して説明した実施態様で上述したように、多層構造を形成するために追加的本体補強パネルが第２の本体補強パネル１６ｂ、１７ｂから延びてもよい。
【００２９】
別の実施態様では（図示せず）、四重層を含む多層を形成するために、ブランクは第１および第２の本体補強パネル１６ａ、１７ａ、１６ｂ、１７ｂ両方を含んでもよい。第１の本体補強パネル１６ａ、１７ａおよび第２の本体補強パネル１６ｂ、１７ｂは各々の折り曲げ線で上述したいずれの方向にも折り曲げることができ、当然のことながら図３および４を参照して説明した実施態様のいずれの組み合わせも可能である。四重層はパック１の剛性および耐久性をさらに向上させる。
【００３０】
図５は本発明の第３の実施態様のパック用のブランク４０を示している。第１および第２の実施態様と同じであり、よって同様の特徴には同じ符号を付してある。本発明の第３の実施態様のブランク４０は、第３の補強折り曲げ線２１ｅ、２１ｆにおいて蓋側部パネル６ｃ、７ｃそれぞれと一体的に形成される蓋補強パネル１６ｃ、１７ｃを含む。蓋補強パネル１６ｃ、１７ｃはそれぞれ第３の補強折り曲げ線２１ｅ、２１ｆで折られる。ある実施態様では、図５において見える蓋側部パネル６ｃ、７ｃの内面に接して位置するよう図５のブランクを見た状態でページの表側方向に、蓋補強パネル１６ｃ、１７ｃは第３の補強折り曲げ線２１ｅ、２１ｆで折られる。従ってこの実施態様では、蓋補強パネル１６ｃ、１７ｃそれぞれの主要面が蓋側部パネル６ｃ、７ｃの主要面と当接し、蓋補強パネル１６ｃ、１７ｃそれぞれの反対側の主要面が蓋副側部パネル６ｄ、７ｄの主要面と当接して三重層を形成する。さらにこの実施態様では、三重層を形成するために、蓋補強パネル１６ｃ、１７ｃが蓋側部パネル６ｃ、７ｃと蓋副側部パネル６ｄ、７ｄとの間に位置するように第１の補強パネル１６ａ、１７ａは折り畳まれる。
【００３１】
別の実施態様では、第３の補強折り曲げ線２１ｅ、２１ｆにおいて蓋補強パネル１６ｃ、１７ｃは、反対の方向、図５のブランクを見た状態でページの裏側方向に折られる。従ってこの実施態様では、蓋補強パネル１６ｃ、１７ｃそれぞれの主要面が蓋側部パネル６ｃ、７ｃの主要面と当接し、蓋側部パネル６ｃ、７ｃそれぞれの反対側の主要面が対応する蓋副側部パネル６ｄ、７ｄの主要面と当接して三重層を形成する。この実施態様では、蓋側部パネル６ｃ、７ｃそれぞれが蓋補強パネル１６ｃ、１７ｃと蓋副側部パネル６ｄ、７ｄとの間に位置するように、蓋補強パネル１６ｃ、１７ｃは折り畳まれる。
【００３２】
蓋補強パネル１６ｃ、１７ｃ、蓋側部パネル６ｃ、７ｃおよび蓋副側部パネル６ｄ、７ｄから形成される各三重層は接着剤によって固定される。
【００３３】
蓋補強パネル１６ｃ、１７ｃが蓋側部パネル６ｃ、７ｃおよび／または蓋副側部パネル６ｄ、７ｄと当接して追加的な層ができることでパック１の剛性および耐久性が向上する。加えて、蓋補強パネル１６ｃ、１７ｃによって蓋３の厚みおよび剛性が増すことで、蓋３とインナーフレーム１２との間の摩擦が増す。蓋３が閉じた位置にある状態ではインナーフレーム１２は蓋前パネル４ｃおよび／または蓋側部パネル６ｃ、７ｃと当接しており、そのため蓋３が閉じた位置を持続しやすくなる。
【００３４】
当然のことながら、別の実施態様では、蓋補強パネル１６ｃ、１７ｃから延び、折り曲げ線によって蓋補強パネル１６ｃ、１７ｃと隔てられる、１または２以上のさらなる蓋補強パネルがあってもよい。蓋側部パネル６ｃ、７ｃ、蓋副側部パネル６ｄ、７ｄ、蓋補強パネル１６ｃ、１７ｃ、およびあらゆる追加的蓋補強パネルによって蓋３に多層構造ができる。
【００３５】
近傍の二層の間に位置するように補強パネル１６ａ、１７ａ、１６ｂ、１７ｂ、１６ｃ、１７ｃがそれぞれの折り曲げ線で折られるという上述の実施態様には、ブランクを折る時にパックの側壁に沿って存在するいずれの自由縁部も隠すことができる利点がある。従ってブランク自体は白く色の付いた外面を有する場合、ブランクを折ると白い自由縁部は見えなくなる。
【００３６】
上述の実施態様では第１の本体補強パネル１６ａ、１７ａ、第２の本体補強パネル１６ｂ、１７ｂおよび蓋補強パネル１６ｃ、１７ｃは接着剤を使用して所定の箇所に固定されるが、別の実施態様では（図示せず）それらを他の手法で所定箇所に保持してもよいし、パックの壁とパックに収容されるタバコ産業製品によってインナーフレームに圧力が加わることの結果として所定の箇所に保持されてもよい。
【００３７】
当然のことながら、本発明はパック１の側壁６、７の両方が三重層を含むことに限定されない。上述したいずれの実施態様でも、側壁の片方のみが三重層を形成するだけでもよい。もしくは、パックの２つの側壁間で層の数が異なっていてもよい。さらに、蓋の側壁が本体の側壁と異なる数の層を含んでもよい。
【００３８】
上述した実施態様では第１の本体補強パネル１６ａ、１７ａ、第２の本体補強パネル１６ｂ、１７ｂおよび蓋補強パネル１６ｃ、１７ｃは本体側部パネル６ａ、７ａ、本体副側部パネル６ｂ、７ｂおよび蓋側部パネル６ｃ、７ｃ各々と一体的に形成されており、折り畳むという手法によって配置される。しかしながら別の実施態様では（図示せず）、第１の本体補強パネル１６ａ、１７ａ、第２の本体補強パネル１６ｂ、１７ｂおよび／または蓋補強パネル１６ｃ、１７ｃは、接着剤を用いて本体側部パネル６ａ、７ａ、本体副側部パネル６ｂ、７ｂおよび／または蓋側部パネル６ｃ、７ｃに配置される別個の材料片であってもよい。
【００３９】
上述した実施態様ではヒンジ式蓋付きパックを説明した。しかしながら別の実施態様では（図示せず）、第１の本体補強パネル１６ａ、１７ａ、第２の本体補強パネル１６ｂ、１７ｂおよび／または蓋補強パネル１６ｃ、１７ｃは他の設計のパック、例えばスライド式パックや望遠鏡のように延びるパックに、それらパックの剛性および耐久性を改善させるために使用してもよい。
【００４０】
タバコ産業製品は、タバコ産業において製造または販売されるいかなる物品も意味し、典型的には、
ａ）紙巻きタバコ、シガリロ、シガー、パイプ用または手巻き紙巻きタバコ用のタバコ（タバコ、タバコ派生物、膨張タバコ、再生タバコ、またはタバコ代替え品をベースにしているかに拘わらず）；
ｂ）スナフ、スヌース、ハードタバコ、非燃焼熱製品などのタバコ、タバコ派生物、膨張タバコ、再生タバコ、またはタバコ代替え品を導入した非喫煙製品；
ｃ）吸入器、錠剤、ガムなどのその他のニコチン送達手段
を含む。このリストは限定を意図するものではなく、タバコ産業において製造または販売される製品の種類を単に例示したに過ぎない。
【００４１】
タバコ産業パックは、タバコ産業製品を包含および／または梱包することができるいかなるパックも意味する。
【００４２】
様々な課題を解決し技術を発展させることを目的として、図示を含むこの開示全体は、請求項に係る発明を実施して優れたパックを提供し得る種々の実施態様を示している。この開示の利点および特徴は、実施態様という典型的な例を示すことのみであって、包括的および／または排他的ではない。それらは理解を助けるため、および請求された原理を教示するためだけに提出される。当然のことながら、開示の利点、実施態様、例示、機能、特徴、構造および／または他の態様は、請求項または請求項の均等物の限定によって定義されるように、開示されたものに限定されず、また開示の範囲および／またはその意図から外れない限り変更を加えてもよい。種々の実施態様は、説明した要素、成分、特徴、部品、工程、手法などの種々の組み合わせを適宜含んでもよいし、それらのみから構成されてもよいし、またはそれらを主に構成されてもよい。加えて、この開示は現在請求していない他の発明を含んでおり、これら発明は将来請求される可能性がある。
【図１】
2016513052.tif 000003
【図２】
2016513052.tif 000004
【図３】
2016513052.tif 000005
【図４】
2016513052.tif 000006
【図５】
2016513052.tif 000007
【国際調査報告】
2016513052.tif 000008
2016513052.tif 000009
2016513052.tif 000010
2016513052.tif 000011
2016513052.tif 000012